(57)【特許請求の範囲】
【請求項１】
内部にＢステージ状態の粘性樹脂（Ａ）を収容する樹脂収容手段（１０）と、
その樹脂収容手段（１０）に収容する粘性樹脂（Ａ）の重量を測定する樹脂計量手段（２０）と、
その樹脂計量手段（２０）で測定する粘性樹脂（Ａ）の重量が所定の値になるまで、樹脂収容手段（１０）に収容された粘性樹脂（Ａ）を落下させて、樹脂収容手段（１０）の外部に粘性樹脂（Ａ）を供給する樹脂供給手段（３０）と、
樹脂計量手段（２０）で測定する粘性樹脂（Ａ）の重量の値を入力して、その値の時間毎の変化量を求め、その変化量に応じて、樹脂収容手段（１０）の内部に、外部から空気を供給する供給量調整手段（４０）と、を備えることを特徴とする樹脂供給装置。
【請求項２】
変化量に応じて樹脂収容手段（１０）の内部に空気を供給する方法が、変化量が低下した場合に、供給する空気量を増加し、変化量が増加した場合に、供給する空気量を低下する方法であることを特徴とする請求項１記載の樹脂供給装置。
【請求項３】
樹脂収容手段（１０）の内部に、外部から空気を供給する方法が、その内部と外部を接続する開口部を、樹脂収容手段（１０）に形成する方法であることを特徴とする請求項１又は請求項２記載の樹脂供給装置。
【発明の詳細な説明】
【０００１】
【発明の属する技術分野】
本発明は、熱硬化性樹脂組成物を供給する、樹脂供給装置に関するものである。
【０００２】
【従来の技術】
フェノール樹脂、メラミン樹脂等の熱硬化性樹脂に、必要に応じて無機充填材等を配合した熱硬化性樹脂組成物を用いた成形品が、電気絶縁材料、食器等の用途に広く用いられている。これらの成形品を製造するための成形材料は、ペレット等の粒状体、又はタブレットで供給されることが一般的である。
【０００３】
これらの粒状体やタブレットを製造する方法としては、例えば、固体状の熱硬化性樹脂組成物にメタノール等の溶剤を加えて粘度の高い流体である粘性樹脂とし、この粘性樹脂を所定量、粒状体やタブレットを製造する装置に供給して粒状体やタブレットを製造した後、再度粘性樹脂を所定量供給して粒状体やタブレットを製造する工程を繰り返す方法で製造されている。
【０００４】
そして、この粘性樹脂を所定量供給する方法としては、例えば、図２に示すような、内部に粘性樹脂Ａを収容する樹脂収容手段５１と、その樹脂収容手段５１の内部に収容する粘性樹脂Ａの重量を測定する樹脂計量手段５２と、樹脂収容手段５１の下部に配設され、樹脂計量手段５２で測定する粘性樹脂Ａの重量が所定の値になるまで、樹脂収容手段５１の内部に収容された粘性樹脂Ａを落下させて、粒状体やタブレットを製造する装置５４に粘性樹脂Ａを供給する樹脂供給手段５３を備える樹脂供給装置を用いて、樹脂収容手段５１の内部から外部に粘性樹脂Ａを供給する方法が行われている。
【０００５】
なお、樹脂収容手段５１の上部には、粘性樹脂Ａを樹脂収容手段５１の内部に投入するための樹脂投入口５１１が設けられており、粘性樹脂Ａを投入して収容した後は、ゴミ等が外部から入り込まないように、樹脂投入口５１１を閉めて樹脂収容手段５１の内部をほぼ密封した後、樹脂供給手段５３を介して粘性樹脂Ａを供給することが行われている。
【０００６】
なお、樹脂収容手段５１内に長い時間滞留した粘性樹脂Ａは、溶剤の含有率が低下したり、硬化が進行して、次第に粘度が上昇する場合があるため、粘性樹脂Ａが樹脂供給手段５３から落下しにくくなり、時間当たりの粘性樹脂Ａの供給量が次第に減少し、粘性樹脂Ａを一定量供給するために必要な時間が、次第に長くなる場合があるという問題があった。そのため、粘性樹脂Ａを一定量供給するために必要な時間の安定性が優れた、樹脂供給装置が望まれている。
【０００７】
【発明が解決しようとする課題】
本発明は、上記問題点を改善するために成されたもので、その目的とするところは、樹脂収容手段に収容された粘性樹脂を落下させて、樹脂収容手段の外部に粘性樹脂を供給する樹脂供給装置であって、粘性樹脂を一定量供給するために必要な時間の安定性が優れた、樹脂供給装置を提供することにある。
【０００８】
【課題を解決するための手段】
本発明の請求項１に係る樹脂供給装置は、内部にＢステージ状態の粘性樹脂を収容する樹脂収容手段と、その樹脂収容手段に収容する粘性樹脂の重量を測定する樹脂計量手段と、その樹脂計量手段で測定する粘性樹脂の重量が所定の値になるまで、樹脂収容手段に収容された粘性樹脂を落下させて、樹脂収容手段の外部に粘性樹脂を供給する樹脂供給手段と、樹脂計量手段で測定する粘性樹脂の重量の値を入力して、その値の時間毎の変化量を求め、その変化量に応じて、樹脂収容手段の内部に、外部から空気を供給する供給量調整手段と、を備えることを特徴とする。
【０００９】
本発明の請求項２に係る樹脂供給装置は、請求項１記載の樹脂供給装置において、変化量に応じて樹脂収容手段の内部に空気を供給する方法が、変化量が低下した場合に、供給する空気量を増加し、変化量が増加した場合に、供給する空気量を低下する方法であることを特徴とする。
【００１０】
本発明の請求項３に係る樹脂供給装置は、請求項１又は請求項２記載の樹脂供給装置において、樹脂収容手段の内部に、外部から空気を供給する方法が、その内部と外部を接続する開口部を、樹脂収容手段に形成する方法であることを特徴とする。
【００１１】
ほぼ密閉した樹脂収容手段の内部から粘性樹脂を落下させて供給すると、その供給した体積分、樹脂収容手段の内部の気圧は低下するが、粘性樹脂は空気と比較して比重が大きいため、多少の減圧状態からでも落下可能であり、樹脂供給手段を開状態とすると、樹脂収容手段からその外部に、粘性樹脂は落下して供給される。しかし、樹脂収容手段内の粘性樹脂の粘度が上昇すると、樹脂供給手段から落下しにくくなり、時間当たりの粘性樹脂の供給量が減少しやすくなるが、本発明によると、樹脂収容手段の内部に外部から空気を供給するため、樹脂収容手段の内部の気圧低下によって落下しにくくなるという阻害要因が解消され、粘性樹脂を一定量供給するために必要な時間の安定性が優れた提供が可能になる。
【００１２】
【発明の実施の形態】
本発明に係る樹脂供給装置を図面に基づいて説明する。図１は本発明に係る樹脂供給装置の一実施の形態を説明する断面図である。
【００１３】
本発明に係る樹脂供給装置の一実施の形態は、図１に示すように、樹脂収容手段１０と、その樹脂収容手段１０の下部に配設された樹脂計量手段２０及び樹脂供給手段３０と、樹脂収容手段１０の側部に配設された供給量調整手段４０と、を備える樹脂供給装置である。
【００１４】
樹脂収容手段１０は、内部にＢステージ状態の粘性樹脂Ａを収容するようになっており、その上部には、粘性樹脂Ａを樹脂収容手段１０の内部に投入するための樹脂投入口１５が設けられている。そして、粘性樹脂Ａを投入して収容した後は、ゴミ等が外部から入り込まないように、樹脂投入口１５を閉めた後、粘性樹脂Ａを供給又は保管するようになっている。
【００１５】
樹脂計量手段２０は、樹脂収容手段１０の下部に配設されており、その樹脂収容手段１０に収容する粘性樹脂Ａの重量を測定するようになっている。
【００１６】
樹脂供給手段３０も、樹脂収容手段１０の下部に配設されており、樹脂計量手段２０で測定する粘性樹脂Ａの重量が、供給開始前の重量の値から、供給しようとする所定の量減少する値になるまで、開閉器を開状態とすることにより、樹脂収容手段１０に収容された粘性樹脂Ａを開閉器を通過させて落下させ、樹脂収容手段１０からその外部に、粘性樹脂Ａを所定の量供給するようになっている。
【００１７】
供給量調整手段４０は、演算器及び記憶器を備えた変化量測定器４１と、開閉器４２を有しており、開閉器４２の一方の端部開口部は、樹脂収容手段１０の内部と接続し、他方の端部開口部は、外気と接続するようになっている。また、変化量測定器４１では、樹脂計量手段２０で測定する粘性樹脂Ａの重量の値を演算器に入力すると共に、記憶器に記憶している所定時間前の重量の値を演算器に入力して、その入力した値の差とその間の経過時間より、樹脂収容手段１０の内部に収容した粘性樹脂Ａの重量の値の、単位時間当たりの変化量を演算した後、記憶器に、その時点の樹脂収容手段１０の内部に収容している粘性樹脂Ａの重量の値を記憶させるようになっている。
【００１８】
そして、演算した変化量に応じて、開閉器４２の開口部の大きさを調整することにより、その開口部を介して、樹脂収容手段１０の内部に収容された粘性樹脂Ａまで到達するように、外部から空気を供給するようになっている。その後、所定量の空気を供給した後、開閉器４２を閉状態とし、次いで、上記と同様の方法で、粘性樹脂Ａの重量の値の単位時間当たりの変化量の演算と、その変化量に応じた空気の供給のサイクルを、繰り返すようになっている。
【００１９】
なお、樹脂収容手段１０の内部に供給する空気の量は、粘性樹脂Ａの重量の値の時間毎の変化量が低下した場合には、開閉器４２の開口部の大きさが大きくなるように調整して、供給する空気量を増加させ、上記変化量が増加した場合には、開閉器４２の開口部の大きさが小さくなるように調整して、供給する空気量を低下するようになっている。
【００２０】
ほぼ密閉した樹脂収容手段１０の内部から粘性樹脂Ａを落下させて供給すると、その供給した体積分、樹脂収容手段１０の内部の気圧は低下するが、粘性樹脂Ａは空気と比較して比重が大きいため、多少の減圧状態からでも落下可能であり、樹脂供給手段３０を開状態とすると、樹脂収容手段１０からその外部に、粘性樹脂Ａは落下して供給される。しかし、樹脂収容手段１０内の粘性樹脂Ａの粘度が上昇すると、樹脂供給手段３０から落下しにくくなり、時間当たりの粘性樹脂Ａの供給量が減少しやすくなるが、上記のように樹脂収容手段１０の内部に外部から空気を供給すると、樹脂収容手段１０の内部の気圧低下によって落下しにくくなるという阻害要因が解消され、粘性樹脂Ａを一定量供給するために必要な時間の安定性が優れた提供が可能になる。
【００２１】
なお、粘性樹脂Ａの重量の値の時間当たりの変化量の演算方法は、上記方法に限定するものではなく、所定の一定時間毎に樹脂計量手段２０で測定する粘性樹脂Ａの重量の値を演算器に入力すると共に、記憶器に記憶しているその一定時間前の重量の値を演算器に入力し、その差に応じて、樹脂収容手段１０の内部に、外部から空気を供給するようにしても良い。
【００２２】
また、樹脂収容手段１０の内部に供給する空気の量は、上記方法で調整することに限定するものではなく、変化量がある値より低下した場合に空気を供給し、それ以上の場合には、空気を供給しないような方法でも良い。
【００２３】
また、樹脂収容手段１０の内部に、外部から空気を供給する方法は、上記のような、樹脂収容手段１０の内部と外部を接続する開口部を樹脂収容手段１０に形成する方法に限定するものではなく、例えば、ポンプ等により、外気を供給する方法でも良い。なお、空気の代わりに、窒素ガス等の不活性ガスをボンベから供給しても同様の効果は得られるが、不活性ガスを準備する必要があるため、経済的でない。
【００２４】
本発明で用いる粘性樹脂Ａは、粘度の高い流体の熱硬化性樹脂組成物であれば特に限定するものではなく、例えば、フェノール樹脂、メラミン樹脂、エポキシ樹脂等の熱硬化性樹脂に、必要に応じて無機充填材等を配合した、粘度の高い流体の熱硬化性樹脂組成物や、フェノール樹脂、メラミン樹脂、エポキシ樹脂等の熱硬化性樹脂に、必要に応じて無機充填材等を配合した固体状の熱硬化性樹脂組成物に、メタノール等の溶剤を加えて粘度の高い流体としたもの等が挙げられる。この粘性樹脂Ａの粘度としては、特に限定するものではないが、１０００〜２万センチポイズであると、特に一定量供給するために必要な時間の安定性が優れた供給が可能となり好ましい。
【００２５】
【発明の効果】
本発明に係る樹脂供給装置は、樹脂計量手段で測定する粘性樹脂の重量の値を入力して、その値の時間毎の変化量を求め、その変化量に応じて、樹脂収容手段の内部に、外部から空気を供給する供給量調整手段を備えるため、粘性樹脂を一定量供給するために必要な時間の安定性が優れた、樹脂供給装置となる。
【図面の簡単な説明】
【図１】本発明に係る樹脂供給装置の一実施の形態を説明する断面図である。
【図２】従来の樹脂供給装置を説明する断面図である。
【符号の説明】
１０，５１    樹脂収容手段
１５，５１１  樹脂投入口
２０，５２    樹脂計量手段
３０，５３    樹脂供給手段
４０          供給量調整手段
４１          変化量測定器
４２          開閉器
Ａ            粘性樹脂
【図１】
0003608347.tif 000002
【図２】
0003608347.tif 000003